(57)【特許請求の範囲】
【請求項１】
信号伝送構造であって、
第一回転軸と、第二回転軸と、第三回転軸と、第一弾性部材及び第二弾性部材を有する連動構造と、
前記連動構造の前記第一回転軸と前記第一弾性部材に旋回され展開される信号伝送端子と、
スライドレールを有し、また前記スライドレールは少なくとも一つの斜面と固定点を含むスライド部材と、
前記第三回転軸で旋回する第一端及びカムで構成される第二端を有するリンケージと、
前記連動構造の前記第二回転軸と前記第二弾性部材により旋回される閉鎖片部を有する閉鎖部材と、
を含み、
前記信号伝送端子の収納時には、前記信号伝送端子は前記スライド部材をスライドさせ、前記スライド部材に推進されることで前記閉鎖部材は旋回され、前記閉鎖部材の前記閉鎖片部に前記信号伝送端子をロックさせ、また前記リンケージの前記カムは前記スライドレールの前記斜面上を前記固定点まで移動することを特徴とする信号伝送構造。
【請求項２】
前記スライドレールの前記斜面等は複数の異なる高低差の斜面であることを特徴とする、請求項１に記載の信号伝送構造。
【請求項３】
前記スライド部材は前記連動構造の第三弾性部材が前記信号伝送端子で旋回され展開した後、本来の位置へ復位することを特徴とする、請求項１に記載の信号伝送構造。
【請求項４】
前記スライド部材は前記信号伝送端子を推進させるストッパーをさらに含むことを特徴とする、請求項１に記載の信号伝送構造。
【請求項５】
前記信号伝送端子が旋回し展開する方向と前記閉鎖部材が旋回する方向は相反することを特徴とする、請求項１に記載の信号伝送構造。
【請求項６】
前記信号伝送端子が旋回し展開する時、前記カムは前記固定点から外れ、前記スライド部材は前記第三弾性部材により移動させられ、前記信号伝送端子を前記閉鎖片部から外させ旋回させ展開させることを特徴とする、請求項３に記載の信号伝送構造。
【請求項７】
携帯式電子装置であって、
構造本体と、
前記構造本体内に設置される信号伝送構造を含み、
前記信号伝送構造はさらに、
第一回転軸、第二回転軸、第三回転軸、第一弾性部材及び第二弾性部材を有する連動構造と、
前記連動構造の前記第一回転軸と前記第一弾性部材により旋回され展開される信号伝送端子と、
斜面と固定点で構成されるスライドレールを有するスライド部材と、
前記第三回転軸で旋回する第一端及びカムを有する第二端を有するリンケージと、
前記連動構造の前記第二回転軸と前記第二弾性部材により旋回される閉鎖片部を有する閉鎖部材を含み、
ここでは前記信号伝送端子の収納時には、前記信号伝送端子は前記スライド部材を推進し、前記スライド部材に推進されることで前記閉鎖部材は旋回し、前記閉鎖部材の前記閉鎖片部に前記信号伝送端子をロックさせ、また前記リンケージの前記カムは前記スライドレールの前記斜面上を前記固定点まで移動することを特徴とする携帯式電子装置。
【請求項８】
前記信号伝送端子が旋回し展開する時、前記カムは前記固定点から外れ、前記信号伝送端子を前記閉鎖片部から外させ旋回させ展開させることを特徴とする、請求項７に記載の携帯式電子装置。
【請求項９】
前記スライド部材は前記連動構造の第三弾性部材が前記信号伝送端子により旋回され展開された後に本来の位置へ復位されることを特徴とする、請求項７に記載の携帯式電子装置。
【請求項１０】
信号伝送構造であって、
第一回転軸、第二回転軸、第一弾性部材及び第二弾性部材を有する連動構造と、
前記連動構造の前記第一回転軸と前記第一弾性部材により旋回され展開される信号伝送端子と、
固定点からなるスライドレールを有するスライド部材と、
支点となる第一端及び前記スライドレール上を移動する第二端を有するリンケージと、
前記連動構造の前記第二回転軸と前記第二弾性部材により旋回される閉鎖片部を有する閉鎖部材を含み、
前記信号伝送端子の収納時には、前記信号伝送端子は前記スライド部材を推進し、前記閉鎖部材は前記スライド部材に推進されることで旋回し、前記閉鎖部材の前記閉鎖片部に前記信号伝送端子をロックさせ、また前記リンケージの前記第二端は前記スライドレールの前記固定点まで移動することを特徴とする信号伝送構造。
【発明の詳細な説明】
【技術分野】
【０００１】
本発明は、信号伝送構造に関し、より詳しくは、押すことで開閉する回転式信号伝送構造に関する。
【背景技術】
【０００２】
昨今の携帯式電子製品、例えばデジタルカメラ、デジタルビデオカメラ、携帯電話、ノートパソコン或いはタブレット型パソコン等は主に軽さ、薄さ、小型化を追求しながらも高い機能性が要求され、小型軽量で、尚且つ機能性にも優れ携帯にも便利である等の長所を有し、消費者に広く受け入れられ様々な場面で使用されている。
【発明の概要】
【発明が解決しようとする課題】
【０００３】
携帯式電子製品、例えばデジタルカメラとデジタルビデオカメラは撮影した写真ファイル或いは映像ファイル等の出力に、通常は信号伝送用のケーブルを使用することで他の電子装置或いはシステムに接続されデータの伝送或いは装置の充電を行うが、このためには電子装置本体以外に信号伝送用ケーブルを携帯する必要がある。
しかし信号伝送用ケーブルが無い時は、ファイルの出力或いは充電が行えず、使用上非常に不便である。このため消費者の使用上の利便性を考慮すると、携帯式電子製品が直接他の製品、例えばパソコンに接続されデータファイルの伝送を行うのは、信号伝送用ケーブルを忘れた場合パソコンに接続不能となるため、非常に困難になる。
【０００４】
このため本発明は携帯式電子装置に内臓される飛び出し式の信号伝送構造を提供し、ユーザーが信号伝送用ケーブルを携帯することなく、いつでもファイルの出力或いは充電を行え、携帯式電子装置の使用上の利便性を大幅に向上させる。
【０００５】
本発明は、このような従来の問題に鑑みてなされたものである。上記課題解決のため、本発明は、信号伝送端子が押されることで使用（或いは収納）出来る信号伝送構造を提供することを主目的とする。信号伝送端子の端部を押すだけで起動或いは終了し、同時に使用上のスイッチ構造を持たないため、携帯式電子装置としての外観上も簡潔で省スペースである。
【０００６】
また、本発明の飛び出し式信号伝送構造はデータ伝送用ケーブルを使用し他の電子装置に接続されることでデータの伝送或いは充電を行うあらゆる携帯式電子装置に適用される。飛び出し式設計方式の採用によりユーザーに直接信号伝送端子が押されることで、これが飛び出る。信号伝送端子を収納する時は、ユーザーが直接信号伝送端子を押せば、これが携帯式電子装置内に収納される。
【課題を解決するための手段】
【０００７】
上述した課題を解決し、目的を達成するために、本発明に係る信号伝送構造は、
第一回転軸と、第二回転軸と、第三回転軸と、第一弾性部材及び第二弾性部材を有する連動構造と、
前記連動構造の前記第一回転軸と前記第一弾性部材に旋回され展開される信号伝送端子と、
スライドレールを有し、また前記スライドレールは少なくとも一つの斜面と固定点を含むスライド部材と、
前記第三回転軸で旋回する第一端及びカムで構成される第二端を有するリンケージと、
前記連動構造の前記第二回転軸と前記第二弾性部材により旋回される閉鎖片部を有する閉鎖部材を含み、
ここでは前記信号伝送端子の収納時には、前記信号伝送端子は前記スライド部材をスライドさせ、前記スライド部材に推進されることで前記閉鎖部材は旋回され、前記閉鎖部材の前記閉鎖片部に前記信号伝送端子をロックさせ、また前記リンケージの前記カムは前記スライドレールの前記斜面上を前記固定点まで移動することを特徴とする。
【０００８】
さらに、本発明に係る信号伝送構造は、
構造本体と、
前記構造本体内に設置される信号伝送構造を含み、
前記信号伝送構造はさらに、
第一回転軸、第二回転軸、第三回転軸、第一弾性部材及び第二弾性部材を有する連動構造と、
前記連動構造の前記第一回転軸と前記第一弾性部材により旋回され展開される信号伝送端子と、
斜面と固定点で構成されるスライドレールを有するスライド部材と、
前記第三回転軸で旋回する第一端及びカムを有する第二端を有するリンケージと、
前記連動構造の前記第二回転軸と前記第二弾性部材により旋回される閉鎖片部を有する閉鎖部材を含み、
前記信号伝送端子の収納時には、前記信号伝送端子は前記スライド部材を推進し、前記スライド部材に推進されることで前記閉鎖部材は旋回し、前記閉鎖部材の前記閉鎖片部に前記信号伝送端子をロックさせ、また前記リンケージの前記カムは前記スライドレールの前記斜面上を前記固定点まで移動することを特徴とする。
【図面の簡単な説明】
【０００９】
【図１】本発明に係る実施形態の携帯式電子装置の信号伝送構造の部分的構造の分解図である。
【図２】スライド部材上のスライドレールとリンケージの他の実施形態である。
【図３】本発明に係る実施形態の携帯式電子装置の信号伝送端子の飛び出し後の概略図である。
【図４】本発明に係る実施形態の携帯式電子装置の信号伝送端子収納時の概略図である。
【図５】本発明に係る実施形態の信号伝送端子が収納されロックされる時の概略図である。
【発明を実施するための形態】
【００１０】
以下に図面を参照して本発明を実施するための形態について、詳細に説明する。なお、本発明は、以下に説明する実施形態に限定されるものではない。
【００１１】
本発明の実施形態に係る信号伝送構造は携帯式電子装置に応用されるが、但し携帯式電子装置のみに限定されるわけではない。携帯式電子装置はハンドヘルドＰＣ（Handheld PC）、携帯情報端末（Personal Digital Assistant、 PDA）、デジタルミュージック（MPEG Audio Layer 3、 MP3）プレイヤー、ＧＰＳ（Global Positioning System、GPS）、モバイルコミュニケーションデバイス、デジタルカメラ、デジタルビデオカメラ等があるが、但しこれらだけに限られず、信号伝送端子を装備するあらゆる電子装置を含む。
【００１２】
図１は、本発明に係る実施形態の携帯式電子装置の信号伝送構造の部分的構造の分解図である。携帯式電子装置は信号伝送構造１００と構造本体１０１を含み、信号伝送構造１００は構造本体１０１内に設置される。また携帯式電子装置の信号処理システム（図示せず）、制御システム（図示せず）とデータ保存システム（図示せず）等の部材構造本体１０１内に設置される。
【００１３】
図１の、信号伝送構造１００は信号伝送端子１０２と、スライド部材１０４と、リンケージ１０６及び閉鎖部材１０８からなる。信号伝送構造１００は主要部材１０３、弾性部材１１０、１１２並びに１１４ と軸部材１１６をさらに含む。信号伝送端子１０２はＵＳＢ(Universal Serial Bus、 USB)インターフェース信号伝送端子或いはＩＥＥＥ１３９４(IEEE 1394)インターフェース信号伝送端子を含むが、但しこの限りではない。主要部材１０３と構造本体１０１は一体射出成型され、或いは相互にロックまたは接続され、信号伝送端子１０２、軸部材１１６と弾性部材１１０は構造本体１０１上の回転軸１２１に挿入され、ねじ１２０は軸部材１１６、弾性部材１１０及び信号伝送端子１０２を構造本体１０１上に固定し、信号伝送端子１０２を弾性部材１１０により構造本体１０１上の回転軸１２１で旋回させる。
【００１４】
図１の、閉鎖部材１０８は閉鎖片部１１３とストッパー１１５を含む。閉鎖部材１０８と弾性部材１１２は主要部材１０３上の回転軸１１８に挿入され、閉鎖部材１０８を主要部材１０３上の回転軸１１８で旋回させ弾性部材１１２を連動させ変形させ、同時に弾性部材１１２の変形からの回復力を利用し旋回前の位置へ復位させる。このほか、リンケージ１０６は第一端１０７と第二端１０９を有し、第一端１０７は主要部材１０３上の回転軸１１９に挿入され、ねじ１２２によりリンケージ１０６の第一端１０７を主要部材１０３上へ固定し、リンケージ１０６は主要部材１０３上の回転軸１１９を旋回の中心とする。ここでは弾性部材１１０、１１２はトーションスプリングである。
【００１５】
図１に示す実施形態では、リンケージ１０６の第二端１０９はカム１２４を有し、スライド部材１０４はスライドレール１０５とストッパー１２３を有し、またスライドレール１０５は少なくとも一つの斜面と固定点１１１を含み、リンケージ１０６はカム１２４によりスライド部材１０４のスライドレール１０５上で移動する。具体的には、スライドレール１０５は複数の異なる高低差の斜面或いは傾斜角度の異なる平面と固定点１１１を含む。スライド部材１０４は主要部材１０３上に配置され、主要部材１０３上を移動する。スライド部材１０４が主要部材１０３上を往復移動できるように、スライド部材１０４に抵触する弾性部材１１４を使用する。弾性部材１１４は力を受けると変形し弾性位置エネルギーを溜め、受力が停止された後に弾性位置エネルギーを運動エネルギーに転換する。弾性部材１１４は収納槽１１７中に配置され、スライド部材１０４が信号伝送端子１０２に推進された時、収納槽１１７中の弾性部材１１４は力を受け圧縮され変形する。信号伝送端子１０２が旋回し展開する時、弾性部材１１４の変形からの回復力によりスライド部材１０４は移動させられ元の位置へ戻される。ここでは、弾性部材１１４はばねであり、リンケージ１０６の第二端はスライドレール１０５の斜面に接触しその上を移動し、軸部材１１６の挿入する回転軸１２１、回転軸１１８と１１９は弾性部材１１０、１１２、１１４と連動構造を構成する。
【００１６】
続いて図１、図３、図４と図５は同時に、スライド部材上のスライドレールとリンケージの実施形態を図示する。スライド部材１０４のスライドレール１０５は複数の異なる高低差の斜面と固定点１１１を含み、リンケージ１０６の第一端１０７は主要部材１０３上の回転軸１１９に挿入され支点となり、リンケージ１０６の第二端１０９はカム１２４によりスライド部材１０４のスライドレール１０５上を移動する。同時に図１と図５に示す、スライドレール１０５の斜面の高度は時計の針と逆回転方向に逐次減少し高度差を生み、リンケージ１０６のカム１２４の反対方向への移動による逆回転は制限され、スライドレール１０５の斜面の高度変化の方向はあくまで範例であり、制限されない。
【００１７】
図２はスライド部材上のスライドレールとリンケージの他の実施形態を示す。同時に図１と図２に示す、スライドレール２０５は平面２０８と固定点２１１を含み、リンケージ２０６は第一端２０７と第二端２０９を有し、第一端２０７は主要部材１０３上の回転軸１１９に挿入され支点となり、第二端２０９はスライドレール２０５の平面に接触しその上を移動する。
【００１８】
図３は本発明に係る実施形態の携帯式電子装置の信号伝送端子が飛び出した後の概略図である。同時に図１と図３に示すのは、ユーザーが信号伝送端子１０２を携帯式電子装置に収納する時、信号伝送端子１０２へ向かって旋回力をかけ、構造本体上の回転軸１２１を信号伝送端子１０２の旋回の中心として旋回を行わせ弾性部材１１０に同程度の旋回方向への変形を起こさせる。信号伝送端子１０２が携帯式電子装置内へ収納された後、信号伝送端子１０２はスライド部材１０４のストッパー１２３と直接接触しスライド部材１０４を推進させリンケージ１０６の第一端１０７方向へ移動させる。また、スライド部材１０４は同時に弾性部材１１４を圧縮し、リンケージ１０６との対向運動を起こさせ、この時リンケージ１０６の第二端１０９のカム１２４はスライド部材１０４のスライドレール１０５の頂点１２６から固定点１１１へ移動し、同時にスライド部材１０４のストッパー１２３は閉鎖部材１０８のストッパー１１５に接触し閉鎖部材１０８を連動させ回転させる。ここでは信号伝送端子１０２の旋回し展開する方向と閉鎖部材１０８が旋回する方向は反対であり、リンケージ１０６の第二端１０９或いはカム１２４がスライドレール１０５の一辺を通過し固定点１１１に進入する時、スライド部材１０４はリンケージ１０６の第二端１０９或いはカム１２４が固定点１１１に固定されることで不動の状態を維持でき、この時閉鎖部材１０８の閉鎖片部１１３は信号伝送端子１０２を固定し、信号伝送端子１０２をロックし収納動作を完了させる。
【００１９】
図４は本発明に係る実施形態の携帯式電子装置の信号伝送端子が収納される概略図である。同時に図１と図４は、ユーザーが信号伝送端子１０２を使用した信号伝送或いは充電を行う時、信号伝送端子１０２を押し弾性部材１１４を圧縮しスライド部材１０４を回転軸１１９の方向へ移動させ、この時リンケージ１０６の第二端１０９或いはカム１２４は固定点１１１から外され、弾性部材１１４の回復力によりスライド部材１０４を推進し回転軸１１９から離れる様に移動させ、この時リンケージ１０６の第二端１０９或いはカム１２４はスライドレール１０５の一辺を通過しスライドレール１０５の頂点１２６で止まる。スライド部材１０４が回転軸１１９から離れる様に移動すると同時に、リンケージ１０６の第二端１０９或いはカム１２４は固定点１１１から外れ、スライド部材１０４を弾性部材１１４の回復力により移動させ、スライド部材は弾性部材１１４が信号伝送端子１０２により旋回され展開された後、本来の位置へ復位する。同時にこの時スライド部材１０４のストッパー１２３は閉鎖部材１０８のストッパー１１５に再度の抵抗はできず閉鎖部材１０８の旋回を止められず、このため閉鎖部材１０８は弾性部材１１２の弾性の回復力により旋回し、閉鎖部材１０８の閉鎖片部１１３は信号伝送端子１０２の端部開口部から外れ、信号伝送端子１０２のロックを解除し、信号伝送端子１０２を弾性部材１１０により旋回させ展開させる。
【００２０】
図５は本発明に係る実施形態の信号伝送端子が収納されロックされる概略図である。図５に図示するように、信号伝送端子１０２が力を受け収納を行う過程において、信号伝送端子１０２が旋回し同時にスライド部材１０４のストッパー１２３に抵触する時、スライド部材１０４は収納槽１１７中に圧縮されて配置される弾性部材１１４の方向へ移動する。同時に図１と図５は、スライド部材１０４のストッパー１２３が同時に閉鎖部材１０８上のストッパー１１５を推進し、閉鎖部材１０８ を旋回させ、閉鎖部材１０８の閉鎖片部１１３を連動させ信号伝送端子１０２の端部の開口部内へ進入させ、弾性部材１１４の回復力により推進されたスライド部材１０４はリンケージ１０６の第二端１０９或いはカム１２４を固定点１１１に抵触させ、閉鎖部材１０８の閉鎖片部１１３に信号伝送端子１０２を固定させる。ここでは、ストッパー１１５の高度はスライド部材１０４の高度より高くても低くても良く、或いはスライド部材１０４と同じ高さでも良い。
同時に図２と図５に示すのは、もしスライド部材１０４のスライドレールが図２のスライドレール２０５であり、またリンケージ２０６を使用する場合、信号伝送端子１０２が旋回し弾性部材１１４を圧縮すると同時に閉鎖部材１０８を旋回させ、閉鎖部材１０８の閉鎖片部１１３を連動させ信号伝送端子１０２の端部開口部内へ進入させ、弾性部材１１４の回復力によりスライド部材１０４を推進させリンケージ２０６の第二端２０９を定点２１１に抵触させ、閉鎖部材１０８の閉鎖片部１１３に信号伝送端子１０２を固定させる。
【００２１】
本発明が提供する信号伝送構造は主にスライド部材、閉鎖部材、リンケージ、信号伝送端子及び複数個の回転軸と弾性部材を有する連動構造により構成される。飛び出し方式の設計はユーザーが直接信号伝送端子を押すことで信号伝送端子が直接飛び出してくる。ユーザーが信号伝送端子を収納する時は、信号伝送端子を押すことでこれが旋回しスライド部材を推進させ、同時に閉鎖部材を連動させ信号伝送端子をロックし、リンケージを利用しスライド部材を固定し閉鎖部材に信号伝送端子のロック状態を維持させ、連動構造により信号伝送端子と閉鎖部材の回転及びスライド部材の移動を行う。ユーザーが信号伝送端子を使用する時、信号伝送端子を再び押しリンケージを停止させスライド部材に固定させ、同時に閉鎖部材の信号伝送端子のロック状態を解除し、信号伝送端子は連動構造により旋回され展開される
【００２２】
本発明が提供する飛び出し式信号伝送構造は伝送ケーブルにより他の電子システムと電気的に接続され、データ伝送或いは充電を行うあらゆる携帯式電子装置に適用される。本発明の飛び出し式信号伝送構造を使用すれば伝送ケーブルの携帯或いはこれを使用してのデータ伝送或いは充電が必要なくなる。また、携帯式電子装置の信号伝送構造を増大させ、  携帯式電子装置を外部システム或いは装置、例えばパソコン、ノートパソコン等に直接接続でき、伝送ケーブルを使用する必要がなくなり、使用上の利便性の向上が望める。このほか、本発明が提供する飛び出し式信号伝送構造は携帯、データ伝送、充電の利便性の向上のほか、直接信号伝送端子を押すことで使用或いは信号伝送構造を収納でき、操作性も向上が望める。使用上別にスイッチ構造を作らず、携帯式電子装置の外観も簡潔で省スペースでもある。
【００２３】
上述の実施形態は本発明の技術思想及び特徴を説明するためのものにすぎず、当前記技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、特許請求の範囲に示す発明に含まれるものとする。
【符号の説明】
【００２４】
１００  信号伝送構造
１０１  構造本体
１０２  信号伝送端子
１０３  主要部材
１０４  スライド部材
１０５  スライドレール
１０６  リンケージ
１０７  第一端
１０８  閉鎖部材
１０９  第二端
１１０  弾性部材
１１１  固定点
１１２  弾性部材
１１３  閉鎖片部部
１１４  弾性部材
１１５  ストッパー
１１６  軸部材
１１７  収納槽
１１８  回転軸（芯棒）
１１９  回転軸（芯棒）
１２０  ねじ
１２１  回転軸（芯棒）
１２２  ねじ
１２３  ストッパー
１２４  カム
１２６  頂点
２０５  スライドレール
２０６  リンケージ
２０７  第一端
２０８  平面
２０９  第二端
２１１  固定点
【図１】
0005121953.tif 000002
【図２】
0005121953.tif 000003
【図３】
0005121953.tif 000004
【図４】
0005121953.tif 000005
【図５】
0005121953.tif 000006